(57)【特許請求の範囲】
【請求項１】
シート状の繊維素材からなる支持体の一方の面に離型処理を施し、その他方の面に粘着剤層を設けた粘着テープを、その粘着剤層側を外側にして巻芯にロール状に巻き上げてなり、使用済みとなった最外層の粘着テープを１周分ずつ剥がして使用するクリーナ用ロール巻粘着テープにおいて、
上記支持体は、その繊維の目の流れ方向が上記巻芯の軸線方向と平行に形成されているとともに、上記粘着剤層には、上記支持体の他方の面においてほぼ全面にわたって塗布された下層粘着剤と、上記下層粘着剤の上に上記巻芯の軸線方向と平行に、かつ、円周方向に沿って一定の間隔をもって塗布された上層粘着剤とが設けられ、上記粘着テープの１周分内に上記上層粘着剤の複数列が含まれていることを特徴とするクリーナ用ロール巻粘着テープ。
【発明の詳細な説明】
【０００１】
【発明の属する技術分野】
本発明はクリーナ用ロール巻粘着テープに関し、特に詳しくは、粘着テープ面の切り取りを容易にしたクリーナ用ロール巻粘着テープに関する。
【０００２】
【従来の技術】
クリーナ用ロール巻粘着テープは、紙などの繊維素材からなるシートもしくはテープ状の支持体を備えており、この支持体の一方の面に離型処理を施し、また、他方の面の全面にわたり粘着剤層を形成して粘着剤層を外側にしてロール状に巻き上げ、被清掃面上を回転接触させることにより、粘着剤層に塗布された粘着剤の粘着力によって塵や埃を接着し、被清掃面をクリーンにするようにしている。
そして、粘着テープ面の粘着力が低減し、クリーン効果が低下したときには、粘着テープの切断辺（切り口）の一端を指でつまみ上げ、１周分だけ引き剥がし切断除去し、新たに１周分の未使用の粘着テープ面を露出させてクリーン効果を繰り返す。
【０００３】
しかし、クリーン操作後の粘着テープ面には、その粘着剤層上に塵や埃が付着して汚れており、引き剥がすときの切断辺の位置確認が困難であるばかりか、切断辺を指でつまみあげるにも不快感が伴うという問題があった。
【０００４】
このような問題を解決するために提案された従来のクリーナ用ロール巻粘着テープの一例を図５に示す。
図５に示すように、このクリーナ用ロール巻粘着テープ１は、巻芯５に巻回された支持体２に形成される粘着剤層３の両側端に、粘着剤４が塗布されないドライエッジ部７が設けられ、このドライエッジ部７の一方もしくは双方には、巻芯５の外周面にまで至る切り込み６が形成されている。
そして、支持体２を、ドライエッジ部７に表れる切断辺の一端から指でつまみあげて引き剥がし、切り込み６の位置で巻芯５の軸線方向に沿って切り裂くことにより、粘着力の低下した粘着テープ面をロール１周分ずつ切断除去するようにしている。
【０００５】
これにより、粘着テープ１の切断辺８の一端は、汚れの付着しないドライエッジ部７に形成された切り込み６の位置に表れることになり、粘着テープ１を引き剥がすときの切断辺８の位置確認が容易になる。また、粘着テープの切断辺８の一端は、汚れの付着しないドライエッジ部７に形成されることから、汚れの付着した粘着剤４に指を触れる必要がなく、手が汚れるという不快感を解消することができる。
【０００６】
【発明が解決しようとする課題】
ところで、繊維素材からなる支持体２には、繊維の目の流れすなわち縦目と横目とがある。縦目とは抄紙機での目の流れ方向、横目とはそれと直交する方向であり、一般に繊維素材は、その抄紙時に目の流れる方向である縦目に巻き取られている。
【０００７】
図６に示すように、従来のクリーナ用ロール巻粘着テープ１は、繊維素材からなる支持体２が、巻芯５に円周方向Ｒと同一の、すなわち、抄紙機の流れ方向と同一の縦目にその繊維の目の流れＴが形成されて巻芯５に巻回されている。
このように、支持体２の巻回方向と、繊維素材の抄紙時での巻取方向とを同一方向とすることで、支持体２の離型処理などの加工時に、繊維素材が抄紙される流れ方向そのままで加工製造できるように形成されている。
【０００８】
しかしながら、支持体２を切り込み６から巻芯５の軸線方向に切り裂くときには、上記支持体２の繊維の目の流れ方向Ｔが切り裂く力方向に相反する方向であるため、切り裂く力方向に対しては、繊維素材からの抵抗力が働くことになる。
【０００９】
また、支持体２の上記粘着剤層３上にはその全面にわたって粘着剤４が塗布されており、支持体２を切り裂くときには、繊維素材から働く抵抗力のみならず粘着剤４からの抵抗力も働くことになる。
【００１０】
このため、支持体２を切り込み６から巻芯５の軸線方向に沿って一気に切り裂こうとしても、切り取りにくいばかりでなく、繊維の目の流れ方向Ｔに沿って裂け目が生じることがある。
また、この裂け目が、繊維の目の流れ方向Ｔがガイド線となって巻芯５の円周方向に沿って延び、未使用の粘着テープ面にまで及ぶこともあり、ロール１周分ずつを確実に切断除去することが難しい。
【００１１】
さらに、支持体２の上記粘着剤層３上に付着する塵や埃の中には、糸くずや髪の毛などの繊維状の塵も多く混在しており、この繊維状の塵が切断辺８にまたがって付着している場合には、粘着テープ面を切断辺８から引き剥がそうとしても、繊維状の塵の付着方向に沿った裂け目が生じてしまうことがある。
【００１２】
この場合、切断辺８にまたがって付着した繊維状の塵は、支持体２の繊維の目の流れ方向Ｔと同一方向となるため、両者が相互に影響し合い、切断辺８に生じた裂け目は、粘着テープを無理して引き剥がそうとすると、繊維状の塵がガイド線となって巻芯５の円周方向Ｒへと進み、未使用の粘着テープ面にまで及んでしまいその使用性に問題が生じている。
【００１３】
また、未使用面にまで及んだ裂け目を取り除くためには、塵や埃が付着した粘着剤層３上に直接手を触れる必要があり、手が汚れるという不快感が解消されないばかりか操作性にも問題が生じている。
【００１４】
【課題を解決するための手段】
本発明は、上記従来の問題を解決するためになされたもので、その目的は、不使用となった粘着テープ面を容易に、かつ、ロール１周分ずつ無駄なく切り取ることができるようにしたクリーナ用ロール巻粘着テープを提供することにある。
【００１５】
本発明は、シート状の繊維素材からなる支持体の一方の面に離型処理を施し、その他方の面に粘着剤層を設けた粘着テープを、その粘着剤層側を外側にして巻芯にロール状に巻き上げてなり、使用済みとなった最外層の粘着テープを１周分ずつ剥がして使用するクリーナ用ロール巻粘着テープにおいて、上記支持体は、その繊維の目の流れ方向が上記巻芯の軸線方向と平行に形成されているとともに、上記粘着剤層には、上記支持体の他方の面においてほぼ全面にわたって塗布された下層粘着剤と、上記下層粘着剤の上に上記巻芯の軸線方向と平行に、かつ、円周方向に沿って一定の間隔をもって塗布された上層粘着剤とが設けられ、上記粘着テープの１周分内に上記上層粘着剤の複数列が含まれていることを特徴としている。
【００１６】
これによれば、粘着テープを、粘着テープ面が切断除去される際には、支持体の繊維の目の流れ方向と切り取る力方向とが同一方向となるため、切り取り方向に対する繊維素材からの抵抗力を受けることなく、支持体の切断辺を巻芯の軸線方向と平行の直線状に形成して容易に切り取ることができる。  また、その繊維の目方向が巻芯の軸線方向と平行に形成されたシート状の繊維素材からなる上記支持体の他方の面に形成された上記粘着剤層には、上記巻芯の軸線と平行方向に、かつ、円周方向に沿って一定の間隔をおいて粘着剤が塗布されていることにより、粘着テープを、粘着テープ面が切断除去される際には、支持体の繊維の目の流れ方向と粘着剤の塗布方向が同一方向となることから、粘着剤の塗布方向に沿って、支持体の切断辺を巻芯の軸線方向と平行の直線状に形成して切り取ることができる。
【００１７】
【発明の実施の形態】
以下、本発明の実施例を図１〜図４を参照して説明するが、図１〜図３は本発明の参考実施例で、図４が請求項１に係る本発明の実施例である。なお、従来例で説明した図５および図６において同一とみなせる構成要素には同一参照符号が付されている。
【００１８】
図１に示すように、本発明のクリーナ用ロール巻粘着テープ１１は、紙などの繊維素材からなる支持体１２を備えており、この支持体１２には、その一方の面に離型処理が施されるとともに、他方の面には粘着剤１４が塗布される粘着剤層１３が形成され、粘着剤層１３を外側として巻芯５にロール状に巻き上げられている。
また、図２に示すように、上記支持体１２は、その繊維素材の目の流れ方向Ｙが、上記巻芯５の軸線方向と平行のいわゆる横目で形成されている。
【００１９】
支持体１２に形成される上記粘着剤層１３の両側端には、粘着剤１４が塗布されないドライエッジ部７が設けられており、このドライエッジ部７の少なくとも一方には、巻芯５の外周面にまで至る切り込み６が形成されている。
【００２０】
このように形成された粘着テープ１１は、支持体１２を、ドライエッジ部７に表れる切断辺８の一端をつまみ上げて切り込み６の位置まで引き剥がし、切り込み６の位置で巻芯５の軸線方向に沿って切り裂くことにより、不使用となった粘着テープ面をロール１周分ずつ剥ぎ取ることができるようになっている。
【００２１】
このとき、切り裂かれる支持体１２は、切り裂かれるときに働く力方向がその繊維の目の流れ方向Ｙと同一方向であるため、繊維素材からの抵抗力を受けることなく容易に切り裂くことができる。
また、粘着テープ１１は、支持体１２が剥ぎ取られたときに新たに形成される切断辺８（切り口）が、繊維の目の流れ方向Ｙと同一方向の巻芯５の軸線方向に沿った直線状に形成され、ロール１周分ずつ確実に切断除去される。
【００２２】
さらに、図３に示すように、支持体１２には、一方の面には離型処理が施される離型処理層１５と、その他方の面には粘着剤１４が塗布される粘着剤層１３とが形成されており、粘着剤１４は、上記巻芯５の軸線方向と平行に、かつ、円周方向Ｒに沿って一定の間隔をおいて塗布されている。
【００２３】
このため、上記粘着剤層１３上には、粘着剤１４と粘着剤１４との間に粘着剤が塗布されないドライライン部１６が形成されることになり、この粘着剤１４とドライライン部１６とは、粘着力が働く部分と働かない部分とで凹凸状の段差を生じて円周方向に沿って一定の間隔をもって交互に表れることになる。
【００２４】
この場合、クリーン操作に際して、糸くずや髪の毛などの繊維状の塵は、粘着剤層１３上の粘着剤１４，１４，…をまたがって部分的に接着されることになる。したがって、繊維状の塵などは、粘着テープ面が上記切り込み６から引き剥がされるときには、引き剥がされる側の粘着剤１４に付着したまま引き寄せられ、粘着テープ面に裂け目を生じさせるガイド線として作用することはない。
【００２５】
さらに、粘着剤層１３の上記ドライライン部１６は、巻芯５の軸線方向と同一方向の直線状に形成されるため、粘着テープ面を切り込み６から切り裂き除去するときに延びる切れ目は、切り裂く力方向に対して抵抗力の働く接着剤１４を避け、抵抗力の働かないドライライン部１６上に延びることになる。
【００２６】
すなわち、粘着テープ１１が切断除去される際には、切り込み６から始まる切れ目は、切り裂く力に対して抵抗力の少ないドライライン部１６上を繊維の目の流れ方向Ｙに沿って延びることにより、切り裂かれることにより新たに形成される切断辺８を、巻芯５の軸線方向と同一方向の直線状に形成することができる。
【００２７】
次に、図４により、本発明に係る上記支持体１２の他方の面に形成される粘着剤層１４の実施例について説明する。図４に示すように、一方の面に離型処理層１５が形成された支持体１２の他方の面には粘着剤層１７が形成されており、この粘着剤層１７には、その全面にわたって下層粘着剤１９が塗布されている。さらに、この下層粘着剤１９上には、巻芯５の軸線方向に沿って、かつ、巻芯５の円周方向に沿って一定の間隔をもって上層粘着剤１８が塗布されている。
【００２８】
このため、上記粘着剤層１７上には、下層粘着剤１９と上層粘着剤１８とで、被清掃面に対する粘着力に大小の差をもたせた凹凸状の段差が生じ、巻芯５の円周方向に沿って一定の間隔をおいて交互に表れるように形成されることになる。
【００２９】
この場合、クリーン操作に際して、糸くずや髪の毛などの繊維状の比較的大きな塵は、下層粘着剤１９よりも突出している上層接着剤１８，１８，…上をまたがって部分的に接着されることになる。
したがって、粘着テープ面が上記切断辺８から引き剥がされるときには、この切断辺８をまたがって付着した繊維状の塵などは、引き剥がされる側の上層粘着剤１８に付着したまま引き寄せられ、粘着テープ面に裂け目を生じさせるガイド線として作用することはない。
【００３０】
また、粘着テープ１１が切断除去される際には、上記切り込み６から始まる切れ目は、粘着剤の塗布量が多い上層粘着剤１８の粘着剤から働く抵抗力を避け、粘着剤の塗布量の少ない下層粘着剤１９上に延びることになり、支持体１２は、巻芯５の軸線方向に沿った直線状の切断辺８を得て剥ぎ取られることになる。
【００３１】
さらに、粘着剤層１３，１７に巻芯５の軸線方向と同一方向に、かつ、回転方向に沿って粘着剤１４，１８，１９を塗布して凹凸状の段差をつけることにより、粘着テープ１１に弾力性をもたせることができるため、被清掃面の形状にかかわらず清掃効果を上げることが可能となる。
【００３２】
なお、上記実施の形態では、支持体１２の両側端にドライエッジ部７を形成し、ドライエッジ部７上に形成される切り込み６から粘着テープ面を剥ぎ取るようにしているが、本発明はこれに限定されることはなく、例えば、切り込み６に代えて、巻芯５の軸線方向と同一方向にミシン目やカッター線を形成してロール１周分の目印としてもよい。
【００３３】
また、本発明のロール巻クリーナ用粘着テープ１１は、不要となった粘着テープ面を切断除去するにあたって、切り込み６の位置で粘着テープ面を引き剥がすようにしているが、特に切り込み６を形成せずとも、粘着テープ面は、支持体１１の繊維の目の流れ方向Ｙに沿って容易に切り取られることはいうまでもない。
【００３４】
【発明の効果】
以上説明したように、本発明は、繊維素材からなる支持体の繊維の目の流れ方向が巻芯の軸線方向と平行に形成されているため、不要となった粘着テープ面が切り裂さかれるときには、切り裂く方向に対する繊維素材から抵抗力を受けることなく、粘着テープを、巻芯の軸線方向に沿った直線状の切断辺を得てロール１周分ずつ容易に、かつ、確実に剥ぎ取ることができる。
【図面の簡単な説明】
【図１】本発明のクリーナ用ロール巻粘着テープを説明するための概略的全体図。
【図２】本発明のクリーナ用ロール巻粘着テープの支持体の一部を切断して示す概略的平面図。
【図３】本発明のクリーナ用ロール巻粘着テープの支持体の一部を切断して示す概略的断面図。
【図４】本発明のクリーナ用ロール巻粘着テープの支持体の一部を切断して示す概略的断面図。
【図５】従来のクリーナ用ロール巻粘着テープを説明するための概略的全体図。
【図６】従来のクリーナ用ロール巻粘着テープの支持体の一部を切断して示す概略的平面図。
【符号の説明】
５  巻芯
６  切り込み
７  ドライエッジ部
８  切断辺（切り口）
１１  クリーナ用ロール巻粘着テープ
１２  支持体
１３，１７  粘着剤層
１４  粘着剤
１５  離型処理層
１６  ドライライン部
１８  上層接着剤
１９  下層接着剤
Ｙ  繊維の目方向
Ｒ  円周方向
【図１】
0004538121.tif 000002
【図２】
0004538121.tif 000003
【図３】
0004538121.tif 000004
【図４】
0004538121.tif 000005
【図５】
0004538121.tif 000006
【図６】
0004538121.tif 000007